(57)【要約】【課題】作品Ｗとともに蓋板２１の箱書２１ａ、２１ａを体裁よく展示し、鑑賞する。【解決手段】箱体１０と、箱体１０の上面を閉じる蓋板２１とを設ける。箱体１０から作品Ｗ、Ｗを取り出し、箱体１０の天地を逆にして底板１１の溝１１ａに蓋板２１の一辺を差し込んで起立させると、底板１１上の作品Ｗ、Ｗとともに、蓋板２１の表面の箱書２１ａ、２１ａを鑑賞することができる。【選択図】  図４
2004268982.tif 000002
【特許請求の範囲】
【請求項１】
直方体の箱体と、該箱体の開放面を閉じる蓋板とを備えてなり、前記箱体は、底板の下面に溝を形成し、前記蓋板は、前記箱体の天地を逆にして一辺を前記溝に挿入することにより、前記底板上に起立可能であることを特徴とする箱。
【請求項２】
前記溝は、前記底板の一方の長辺に沿って形成することを特徴とする請求項１記載の箱。
【請求項３】
前記箱体に収納可能な敷物を付属させ、該敷物は、前記底板上の前記蓋板の前面側のスペースに適合させることを特徴とする請求項１または請求項２記載の箱。
【請求項４】
前記敷物は、すべり止め付きとすることを特徴とする請求項３記載の箱。
【発明の詳細な説明】
【０００１】
【発明の属する技術分野】
この発明は、茶碗や置物などの作品を収納する箱に関する。
【０００２】
【従来の技術】
漆器、陶磁器、金工などの諸道具や置物などの高価な作品は、専用の箱に収めて保管するのが普通である。
【０００３】
従来の箱は、一般に、蓋板付きの直方体（立方体を含む、以下同じ）の木箱であって、作品のサイズに合わせて作られている。また、蓋板は、箱の前面を閉じる上下式の落し蓋として、または箱の上面を閉じる上蓋として作られており、蓋板には、いわゆる箱書として、作品の銘や作者名などを記入するのが普通である。
【０００４】
【発明が解決しようとする課題】
かかる従来技術によるときは、箱の蓋板は、箱内に保管中の作品を保護するものであるが、作品を箱から出して展示したり鑑賞したりする際には、空箱とともに別に保管しなければならず、折角の箱書が人目に触れ難いという問題があった。
【０００５】
そこで、この発明の目的は、かかる従来技術の問題に鑑み、箱体の天地を逆にして蓋板を底板上に起立可能にすることによって、作品とともに蓋板の箱書をも体裁よく展示し、鑑賞することができる箱を提供することにある。
【０００６】
【課題を解決するための手段】
かかる目的を達成するためのこの発明の構成は、直方体の箱体と、箱体の開放面を閉じる蓋板とを備えてなり、箱体は、底板の下面に溝を形成し、蓋板は、箱体の天地を逆にして一辺を溝に挿入することにより、底板上に起立可能であることをその要旨とする。
【０００７】
なお、溝は、底板の一方の長辺に沿って形成することができる。
【０００８】
また、箱体に収納可能な敷物を付属させ、敷物は、底板上の蓋板の前面側のスペースに適合させてもよく、すべり止め付きとしてもよい。
【０００９】
【作用】
かかる発明の構成によるときは、蓋板は、箱体の天地を逆にし、底板の溝に一辺を挿入して起立させることにより、作品とともに箱書を展示し、鑑賞することができる。なお、箱体から出した作品は、箱体の底板上において、蓋板の前面側に置けばよい。ただし、箱体の開放面は、箱体の前面、左または右の一側面、上面のいずれであってもよく、蓋板は、前二者の場合は上下式の落し蓋とし、後者の場合は上蓋とする。
【００１０】
底板の一方の長辺に沿って溝を形成すれば、溝内に起立させる蓋板の前面側に、作品を置くための広いスペースを確保することができる。
【００１１】
敷物を付属させれば、作品を箱体内に保管するとき、作品を底板上に置いて展示し、鑑賞するときのいずれの場合においても、作品を敷物上に安全に置くことができる。
【００１２】
すべり止め付きの敷物は、底板上に置いても、容易に滑り落ちたりすることがなく、展示中の作品の安全性を一層高めることができる。なお、すべり止めは、敷物の下面にのみ付設してもよく、下面、上面の両面に付設してもよい。
【００１３】
【発明の実施の形態】
以下、図面を以って発明の実施の形態を説明する。
【００１４】
箱は、直方体の箱体１０と、箱体１０の上面を閉じる蓋板２１とを備えてなる（図１、図２）。ただし、図１（Ｂ）は、同図（Ａ）のＸ−Ｘ線矢視相当断面図である。
【００１５】
箱体１０は、長方形の底板１１の四周に短辺側の側板１２、１２、長辺側の側板１３、１３を立て、上面開放の直方体に仕上げられている。なお、底板１１の下面には、一方の長辺に沿って溝１１ａが形成されている。
【００１６】
蓋板２１は、箱体１０の上面の開放面を閉じる上蓋である。蓋板２１の表面には、箱書２１ａ、２１ａが記入されており、蓋板２１の裏面には、箱体１０の内法に適合するように、位置決め用の桟２１ｂ、２１ｂが付設されている。すなわち、蓋板２１は、箱体１０の外形に合わせて形成され、桟２１ｂ、２１ｂを介し、箱体１０に対して過大な動きを生じないようにして箱体１０を閉じることができる。
【００１７】
箱体１０には、敷物２２を介して任意の作品Ｗを収納することができる。ただし、箱体１０に収納する作品Ｗは、図示の茶碗に限らず、任意の種類を１個以上の任意の個数としてもよい。また、作品Ｗは、箱体１０に収納するに際し、図示しない袱紗（ふくさ）などによって丁寧にくるんでもよい。
【００１８】
敷物２２は、箱体１０内の底板１１上に折り畳むことなく収納することができる。敷物２２は、たとえば分厚い不織布２２ａの下面に対し、接着剤２２ｃを介してクッション性のすべり止め２２ｂを付設して形成されている（図３）。
【００１９】
箱体１０は、内部の作品Ｗ、Ｗ、敷物２２を取り出し、天地を逆にすることにより、底板１１上に敷物２２を介して作品Ｗ、Ｗを置くとともに（図４、図５）、底板１１の溝１１ａに蓋板２１の長辺側の一辺を差し込むことにより、底板１１上に蓋板２１を起立させることができる。なお、このときの蓋板２１は、表面の箱書２１ａ、２１ａを前面側にするとともに、蓋板２１の厚さｔより溝１１ａの幅ａを僅かに大きくし、後方に僅かに傾けることが好ましい（図５、図６）。また、溝１１ａは、底板１１の一方の長辺に十分近い位置において、底板１１の長辺と平行に形成することにより、敷物２２、作品Ｗ、Ｗを置くための十分なスペースを蓋板２１の前面側に確保することができる。そこで、敷物２２は、底板１１上の蓋板２１の前面側のスペースに適合するように形成されている。
【００２０】
【他の実施の形態】
箱体１０は、前面の開放面を落し蓋式の蓋板２１によって閉じる形式であってもよい（図７）。箱体１０の天面は、底板１１よりやや小幅の天板１４によって閉じられており、左右の側板１２、１２には、それぞれ天板１４から突出する前端部の内面に対し、蓋板２１の両端が上下にスライド自在に嵌合する溝１２ａ、１２ａが対向して形成されている。なお、各溝１２ａの後方側の側壁は、天板１４の前端面にほぼ一致するものとする。箱体１０は、天地を逆にして底板１１の溝１１ａに蓋板２１の一辺を差し込んで起立させることにより（図８）、前実施の形態と全く同様にして使用することができる。
【００２１】
なお、図７、図８において、底板１１の溝１１ａは、箱体１０の前面側の長辺に沿って形成されている。また、図７の箱体１０は、長辺側の一面を前面の開放面とするに代えて、短辺側の一面を前面の開放面としてもよい。ただし、このとき、底板１１の溝１１ａは、底板１１の前面側の短辺に沿って形成するものとする。
【００２２】
以上の説明において、箱書２１ａ、２１ａは、作品Ｗの銘や作者名に加えて、またはそれらに代えて、作品Ｗを展示し、鑑賞する際に一層の興趣を起こさせるように、適当な文章や絵、模様などであってもよい。また、箱体１０は、木製であってもよく、プラスチック製、金属製などであってもよい。さらに、箱体１０は、底板１１、各側板１２、１３、天板１４を図示以外の任意の組合せ方法によって組み立てることができ、全体を一体成形することも可能である。
【００２３】
【発明の効果】
以上説明したように、この発明によれば、箱体の天地を逆にして蓋板を底板上に起立可能とすることによって、蓋板は、底板上に置く作品の後方に、表面を前面側に向けて起立させることができるから、作品とともに蓋板の箱書をも体裁よく展示し、鑑賞することができるという優れた効果がある。
【図面の簡単な説明】
【図１】全体構成説明図
【図２】全体分解斜視図
【図３】要部拡大断面図
【図４】使用状態分解斜視図
【図５】図４の拡大側面図
【図６】図５の要部拡大図
【図７】他の実施の形態を示す分解斜視図
【図８】他の実施の形態を示す使用状態斜視図
【符号の説明】
１０…箱体
１１…底板
１１ａ…溝
２１…蓋板
２２…敷物
２２ｂ…すべり止め
【図１】
2004268982.tif 000003
【図２】
2004268982.tif 000004
【図３】
2004268982.tif 000005
【図４】
2004268982.tif 000006
【図５】
2004268982.tif 000007
【図６】
2004268982.tif 000008
【図７】
2004268982.tif 000009
【図８】
2004268982.tif 000010